(57)【要約】  組み込みユニバーサル集積回路カード（ｅＵＩＣＣ）プロファイルをｅＵＩＣＣ対応ＳＩＭにプロビジョニングする方法又はシステムである。このプロビジョニングは、常にプロビジョニングされた国際移動体加入者識別番号（ＩＭＳＩ）をＳＩＭに提供することと、ＳＩＭ上のベースプロファイル集積回路カード識別子（ＩＣＣＩＤ）をアクティベートすることと、ネットワークオペレータとの間で選択されたｅＵＩＣＣプロファイルをアクティベートすることと、ネットワークオペレータによるＳＩＭへのｅＵＩＣＣプロファイルのダウンロードを指示することを含む。
2021515507.tif 000002
【特許請求の範囲】
【請求項１】
組み込みユニバーサル集積回路カード（ｅＵＩＣＣ）プロファイルをｅＵＩＣＣ対応加入者識別モジュール（ＳＩＭ）に対してプロビジョニングする方法であって、
常にプロビジョニングされた国際移動体加入者識別番号（ＩＭＳＩ）を前記ＳＩＭに提供するステップと、
前記ＳＩＭ上のベースプロファイル集積回路カード識別子（ＩＣＣＩＤ）をアクティベートするステップと、
ネットワークオペレータとの間で選択されたｅＵＩＣＣプロファイルをアクティベートするステップと、
前記ネットワークオペレータによる前記ＳＩＭへの前記ｅＵＩＣＣプロファイルのダウンロードを指示するステップと、
を含む方法。
【請求項２】
前記常にプロビジョニングされたＩＭＳＩは、前記ＳＩＭにブートストラップコネクティビティを提供する、請求項１に記載の方法。
【請求項３】
当該方法は、コネクティビティ管理プラットフォーム（ＣＭＰ）により実行される、請求項１又は請求項２に記載の方法。
【請求項４】
前記ＣＭＰは、前記ネットワークオペレータの上位のスーパーオペレータとして機能する、請求項３に記載の方法。
【請求項５】
前記ＣＭＰは、前記ネットワークオペレータと親子又は１：Ｎ関係を有する、請求項４に記載の方法。
【請求項６】
前記ＣＭＰは、プロビジョニングインターフェースを介して前記選択されたｅＵＩＣＣプロファイルをアクティベートし、前記ネットワークオペレータのサブスクリプションマネージャセキュアルーティング（ＳＭ‐ＳＲ）を介して、前記ＳＭ‐ＳＲ／サブスクリプションマネージャデータプレパレーション（ＳＭ‐ＤＰ）プロバイダのアダプタを使用して、前記ｅＵＩＣＣプロファイルのダウンロードを指示する、請求項５に記載の方法。
【請求項７】
前記ＣＭＰは、複数のネットワークオペレータの上位のスーパーオペレータとして機能する、請求項４乃至６のうちいずれか１項に記載の方法。
【請求項８】
前記複数のネットワークオペレータの各々は、通信サービスに関する１つ以上の料金を提示し、前記ＣＭＰは、前記複数のネットワークオペレータの各々からの料金をユーザに提示する、請求項７に記載の方法。
【請求項９】
前記ＣＭＰは、前記複数のネットワークオペレータの各々からの前記１つ以上の料金の各々をユーザに提示する、請求項８に記載の方法。
【請求項１０】
前記ＣＭＰは、前記常にプロビジョニングされたＩＭＳＩの前記ＩＣＣＩＤをマスタレコードとして使用して全てのネットワークオペレータ及び料金にわたり特定のＳＩＭをユニークに識別する、請求項８又は請求項９に記載の方法。
【請求項１１】
前記ＳＩＭは、モノのインターネット（ＩｏＴ）デバイスに関連づけられてＩｏＴ又はマシンツーマシン（Ｍ２Ｍ）機能を提供する、請求項１乃至１０のうちいずれか１項に記載の方法。
【請求項１２】
前記ＳＩＭはＳＩＭカードである、請求項１乃至１１のうちいずれか１項に記載の方法。
【請求項１３】
コネクティビティ管理プラットフォーム（ＣＭＰ）システムであって、
常にプロビジョニングされた国際移動体加入者識別番号（ＩＭＳＩ）を組み込みユニバーサル集積回路カード（ｅＵＩＣＣ）対応加入者識別モジュール（ＳＩＭ）に提供するように構成された手段と、
前記ＳＩＭ上のベースプロファイル集積回路カード識別子（ＩＣＣＩＤ）をアクティベートするように構成された手段と、
ネットワークオペレータとの間で選択されたｅＵＩＣＣプロファイルをアクティベートするように構成された手段と、
前記ネットワークオペレータによる前記ＳＩＭへの前記ｅＵＩＣＣプロファイルのダウンロードを指示するように構成された手段と、
を含むシステム。
【請求項１４】
前記常にプロビジョニングされたＩＭＳＩは、前記ＳＩＭにブートストラップコネクティビティを提供する、請求項１３に記載のシステム。
【請求項１５】
前記ＣＭＰは、前記ネットワークオペレータの上位のスーパーオペレータとして機能するように構成される、請求項１３又は請求項１４に記載のシステム。
【請求項１６】
前記ＣＭＰは、前記ネットワークオペレータと親子又は１：Ｎ関係を有する、請求項１５に記載のシステム。
【請求項１７】
前記ＣＭＰは、プロビジョニングインターフェースを介して前記選択されたｅＵＩＣＣプロファイルをアクティベートし、前記ネットワークオペレータのサブスクリプションマネージャセキュアルーティング（ＳＭ‐ＳＲ）を介して、前記ＳＭ‐ＳＲ／サブスクリプションマネージャデータプレパレーション（ＳＭ‐ＤＰ）プロバイダのアダプタを使用して、前記ｅＵＩＣＣプロファイルのダウンロードを指示するように構成される、請求項１６に記載のシステム。
【請求項１８】
前記ＣＭＰは、複数のネットワークオペレータの上位のスーパーオペレータとして機能するように構成される、請求項１５乃至１７のうちいずれか１項に記載のシステム。
【請求項１９】
前記複数のネットワークオペレータの各々は、通信サービスに関する１つ以上の料金を提示し、前記ＣＭＰは、前記複数のネットワークオペレータの各々からの料金をユーザに提示するように構成される、請求項１８に記載のシステム。
【請求項２０】
前記ＣＭＰは、前記複数のネットワークオペレータの各々からの前記１つ以上の料金の各々をユーザに提示するように構成される、請求項１９に記載のシステム。
【請求項２１】
前記ＣＭＰは、前記常にプロビジョニングされたＩＭＳＩの前記ＩＣＣＩＤをマスタレコードとして使用して全てのネットワークオペレータ及び料金にわたり特定のＳＩＭをユニークに識別するように構成される、請求項１９又は請求項２０に記載のシステム。
【請求項２２】
前記ＣＭＰは、エンドユーザ加入者システムと前記ＳＩＭとの間の通信を制御するように構成されたゲートウェイを含む、請求項１３乃至２１のうちいずれか１項に記載のシステム。
【請求項２３】
前記ゲートウェイは、アクセスポイント名（ＡＰＮ）ゲートウェイである、請求項２２に記載のシステム。
【請求項２４】
前記ＳＩＭはＳＩＭカードである、請求項１３乃至２３のうちいずれか１項に記載のシステム。
【請求項２５】
コンピュータのプロセッサにより実行されたときに前記コンピュータに請求項１乃至１２のうちいずれか１項に記載の方法を実行させるコンピュータ読取可能命令を含むコンピュータプログラム。
【発明の詳細な説明】
【技術分野】
【０００１】
本出願は、コネクティビティ管理のための、詳細には、接続されたデバイス及びオブジェクトのマシンツーマシン通信のためのシステム及び方法に関する。
【背景技術】
【０００２】
無線データ接続を有するデバイスの装備への関心が高まっている。これらの無線データ接続は、次いで、例えば、デバイスによるデータの自動報告及びデバイスへのデータ及び指示の送信に使用することができる。このような無線接続されたデバイス及びそれらの接続性は、一般にモノのインターネット（Internet  of  Things、ＩｏＴ）と呼ばれ、マシンツーマシン（machine  to  machine、Ｍ２Ｍ）通信と呼ばれることもある。典型的には、無線データ接続は、ＳＩＭカードなどの物理エレメントを個々のデバイスに取り付けることにより提供される。Ｍ２Ｍ又はＩｏＴコネクティビティを有するデバイスは、一般に、１つ以上のセンサを有する電子デバイスであるが、原則として、この接続性は、任意のデバイス又はオブジェクトに提供することができる。
【０００３】
エンドユーザ顧客が望む必要な無線コネクティビティをオブジェクト及びデバイスに装備するため、例えば、望ましいＭ２Ｍ又はＩｏＴ機能を提供するために、ＩＯＴデバイスの加入者ＳＩＭカードをプロビジョニングして、これらが様々なモバイルネットワークオペレータ（Mobile  Network  Operators、ＭＮＯ）により運用される異なる無線ネットワークにアクセスすることを可能にすることが必要である。無線コネクティビティは、利用可能な無線サービスと、それらが利用可能な地理的エリアの双方を指すために使用される。実際には、各無線ネットワークは、限られた地理的カバレッジを一般に有し、異なるＭＮＯが、それぞれの無線ネットワークを介して異なるサービスを提示し、サポートする可能性があり、そのため、単一のＭ２Ｍ又はＩｏＴデバイスが、異なるモバイルネットワークオペレータ（ＭＮＯ）により運用される複数の異なる無線ネットワークにアクセスして、エンドユーザ顧客が望む無線コネクティビティを提供することが可能なことが一般に必要である。
【０００４】
現在、第３世代パートナーシッププロジェクト（3rd  Generation  Partnership  Project、３ＧＰＰ）及び／又はグローバルシステムフォーモバイルコミュニケーション（Global  System  for  Mobile  Communications、ＧＳＭ）標準準拠の無線ネットワークを運用するＭＮＯは、ホームロケーションレジスタ（Home  Location  Register、ＨＬＲ）及びホーム加入者サーバ（Home  Subscriber  Server、ＨＳＳ）のコアネットワークエレメントを使用して、ＭＮＯのコアネットワークインフラストラクチャへの加入者として動作するＳＩＭをプロビジョニングし、無線アクセスネットワーク（Radio  Access  Network、ＲＡＮ）へのＳＩＭアクセスを可能にする。
【０００５】
Ｍ２Ｍ又はＩｏＴ産業のエンドユーザは、コネクティビティ管理プラットフォーム（Connectivity  Management  Platforms、ＣＭＰ）のサービスを一般に使用して彼らのために彼らのＭＮＯとの関係を管理し、典型的に多数のＳＩＭカードを配置しているエンドユーザのために複雑性を低減し、市場化までの時間を早める。
【０００６】
複数の異なるコネクティビティ管理プラットフォーム（ＣＭＰ）が存在し、ＩＯＴデバイスの加入者ＳＩＭカードをプロビジョニングするプロセスを制御して、加入者ＳＩＭカードが様々なＭＮＯにより運用される異なる無線ネットワークにアクセスすることを可能にするための様々な統合アプローチを提示している。
【０００７】
現在運用しているＣＭＰは全て、リモートプロビジョニングについて同様の方法論に従う。これらのＣＭＰは、一般にオペレータごとに提供され、各ＣＭＰは、ＧＳＭ／３ＧＰＰの性質に起因して単一のＭＮＯのネットワークへのアクセスのためのプロビジョニングを提供し、ＧＳＭ／３ＧＰＰでは、各ＭＮＯは、加入者ＳＩＭカードがプロビジョニングされる必要のあるコアネットワークを有する。しかしながら、複数のＭＮＯがそれらのネットワーク間のローミングを可能にするオペレータ間契約により接続されるいくつかのグループ及びアライアンスが存在し、そのため、これらのオペレータは、契約によりカバーされるネットワークへのプロビジョニングを単一のＣＭＰにより提供することができる。
【０００８】
ＣＭＰは、加入者ＳＩＭカードの加入者ライフサイクルを制御し、典型的には、利用されている加入者ＳＩＭカードの存続期間全体を通して加入者ごとにネットワークアクセス挙動を構成するために様々な設定を修正する能力を有する。これらの修正可能な設定には、集積回路カード識別子（Integrated  Circuit  Card  Identifier、ＩＣＣＩＤ）及び移動体加入者統合サービスデジタルネットワーク番号（Mobile  Subscriber  Integrated  Services  Digital  Network  Number、ＭＳＩＳＤＮ）のペアリング、国際移動体装置識別番号（International  Mobile  Equipment  Identity、ＩＭＥＩ）登録、域外コネクティビティに関するローミング契約、音声又はＳＭＳなどのサービス、異なるデータベアラへのアクセス、並びにアクセスポイント名（Access  Point  Names、ＡＰＮ）を含むことがある。
【０００９】
異なるＣＭＰは、それらのサービスのプロビジョニングを異なる方法で編成し、実行して、加入者ＳＩＭカードがエンドユーザに所望のコネクティビティサービスを提供することを可能にする。一般に、ＣＭＰは、各加入者ＳＩＭカードの構成を制御する３ＧＰＰエレメントとの統合により、単一のＭＮＯに属する加入者ＳＩＭカードがＣＭＰによりリモートでプロビジョニングされることを可能にする方法を使用する。
【００１０】
設計上、ＧＳＭアソシエーション（GSM  Association、ＧＳＭＡ）標準下では、ＭＮＯ  ＳＩＭカードは、単一のコアネットワークを有するその独自のホームネットワーク上でのみプロビジョニングされることが可能である。この制限は、いくつかの電気通信産業では商業的障害と見なされており、結果として、ＳＩＭカードＭＮＯホームネットワーク以外のネットワーク上でのＳＩＭカードの使用を可能にする複数の技術的又は商業的ソリューションが開発されている。これらのソリューションには、オペレータ間の商業的大規模契約を通してＳＩＭカードが他のＭＮＯネットワークを使用することを許容されるローミングと、物理ＳＩＭカードがリモートで「変更」可能な複数の国際移動体加入者識別番号（International  Mobile  Subscriber  Identity、ＩＭＳＩ）をプロビジョニングされ得るマルチＩＭＳＩが含まれる。しかしながら、これらのソリューションは、商業的関係を通して、又は何らかのあつらえられた非標準化アプローチを通してこれらのサービスを可能にするモバイルネットワークコネクティビティサービスプロバイダ（Connectivity  Service  Providers、ＣＳＰ）に依存する。結果として、これらのソリューションは、常に利用できるわけではない可能性がある。さらに、複数の無線ネットワークを運用するいくつかのＭＮＯグループオペレータは、ＳＩＭカードがその複数のネットワークの全てにアクセスすることを可能にして、カバレッジのより大きい地理的「フットプリント」を提供することがあるが、これは、ＭＮＯグループオペレータにより制御される無線ネットワークに限定される。結果として、ＳＩＭカードが特定のＭＮＯにリンクされた比較的少数の無線ネットワークにのみプロビジョニング可能であるという問題があり、これは、一般に「ベンダロックイン」と呼ばれる。
【００１１】
ＳＩＭに任意の無線ネットワークに接続される能力を提供し、グローバルな無線コネクティビティのための標準化されたモデルを可能にする試みとして、組み込みユニバーサル集積回路カード（Embedded  Universal  Integrated  Circuit  Card、ｅＵＩＣＣ）が作成され、ＭＮＯによりサポートされるモデルとして合意されている。ｅＵＩＣＣ技術は、ユーザがオーバージエア（over  the  air、ＯＴＡ）でｅＵＩＣＣ対応物理ＳＩＭをリモートでプロビジョニングして、ＳＩＭがＭＮＯに属していないときでもそのＭＮＯのネットワークにアクセス可能にすることができる。このプロセスは、物理ＳＩＭが調達及び／又は配置された後にエンドユーザ（又はデバイス）がそのコネクティビティのプロバイダを選択することを可能にすることにより、物理ＳＩＭとＭＮＯにより提供される必要なネットワークアクセスとの間のベンダロックインを除去する。ＯＴＡリモートサブスクリプションプロビジョニング（Remote  Subscription  Provisioning、ＲＳＰ）は３ＧＰＰ標準であり、いくつかのプロバイダにより提供されている。
【００１２】
このｅＵＩＣＣ  ＯＴＡプロビジョニングプロセスは、物理ＳＩＭの存続期間全体を通じて必要に応じて実行することができ、ＳＩＭが、サービス可用性／カバレッジか又は商業的な理由かのいずれかで異なるＭＮＯに属する新しいコネクティビティサービスを追加されることと、冗長なコネクティビティサービスを除去されることを可能にする。現在、リモートサブスクリプション管理を取り扱うための２つのＧＳＭＡ仕様があり、Ｍ２Ｍ及びコンシューマデバイスである。Ｍ２Ｍ  ｅＵＩＣＣプロセスは、２つの重要な新しいネットワークエレメント、サブスクリプションマネージャデータプレパレーション（Subscription  Manager  Data  Preparation、ＳＭ‐ＤＰ）及びサブスクリプションマネージャセキュアルーティング（Subscription  Manager  Secure  Routing、ＳＭ‐ＳＲ）を定義し、使用しており、サブスクリプションマネージャデータプレパレーションは、プロファイルをセキュアに作成及びパッケージ化し、ｅＵＩＣＣへのプロファイルのインストール及び有効化を管理し、サブスクリプションマネージャセキュアルーティングは、ｅＵＩＣＣプラットフォーム及びｅＵＩＣＣプロファイル管理コマンドの双方のセキュアな伝送を保証して、ｅＵＩＣＣにおいてプロファイルをロードし、有効化し、無効化し、削除する。コンシューマデバイスのｅＵＩＣＣプロセスは、単一のネットワーク要素、サブスクリプションマネージャデータプレパレーション（ＳＭ‐ＤＰ＋）を含み、物理デバイスの一部であるローカルプロファイルアシスタント（Local  Profile  Assistant、ＬＰＡ）を導入する。ＬＰＡの役割は、プロファイルのダウンロードを開始し、ｅＵＩＣＣで必要な適切なアクションを制御することである。ＧＳＭＡコンシューマデバイス仕様は、エンドユーザが意思決定者として行動してデバイスから直接ダウンロードを開始することを可能にすることを意図している。
【００１３】
しかしながら、このアプローチには問題がある。ｅＵＩＣＣ対応コネクティビティのソリューションを提供するための現在のアプローチの既存の実装には、２つの主な欠点がある。第１に、ＳＩＭにコネクティビティサービスを提供する前に、ＭＮＯとＳＭ‐ＳＲプロバイダの双方からの２つの物理的に異なるシステムの調整の要件があり、具体的には、ＨＬＲ／ＨＳＳ又はＣＭＰと、ＳＭ‐ＳＲ又はＳＭ‐ＤＰ＋及びＬＰＡへの指示である。この分離は、ある範囲の問題と非効率につながる。さらに、既存の実装は複雑であり、ＳＩＭカードが配置される前に、エンドユーザがＳＩＭカードのためにプロバイダ、選択肢、及び配置方法に関するいくつかの決定を行う必要がある。
【００１４】
１つの問題は、現在利用可能なソリューションが、これらのソリューションを提示する異なるベンダ間、すなわちＳＭ‐ＳＲ及びＳＭ‐ＳＰプロバイダ間の相互運用性を有さないことであり、そのため、ｅＵＩＣＣがベンダロックインを排除するための技術的なアプローチを提供すべきであるという意図にもかかわらず、エンドユーザは、１つのベンダに特有のサービス選択肢の範囲を選択するよう求められる。これは、エンドユーザに開かれた柔軟性の範囲と、それらが前に進むときそれらの将来のオペレーションにより提供されるデータアウトプットを低減させる。
【００１５】
別の問題は、エンドユーザが望むフルの範囲の無線サービス及び地理的カバレッジを提供するために、依然として、相互運用可能でない異なる非標準コネクティビティインタフェースを一般に有する複数のＭＮＯを扱うことが一般に必要なことである。さらに、ＩｏＴソフトウェア及びソリューション市場は、多くの異なるワイヤレスアクセス技術によりかなり多様である。結果として、エンドユーザに対して細分化された購入判断が存在する可能性があり、最終的に、同じ標準化団体内でさえ異なるコネクティビティソリューション、例えば、３ＧＰＰとＬＴＥ‐ＣＡＴ‐ＮＢ１（ＮＢ‐ＩｏＴ）及びＬＴＥ‐ＣＡＴ‐Ｍ１（ｅＭＴＣ）のユースケースを通じて、異なるベンダにより提供され得る異なる実装を利用することになる可能性がある。この細分化された購入判断の結果として、多くのエンドユーザは、Ｍ２Ｍ又はＩｏＴのデバイス及びサービスを迅速に作動及び稼動させる簡素化された配置プロセスのために、ベンダ選択及びより長期的な柔軟性を犠牲にする決定を行うことを強制されている。
【００１６】
さらなる問題は、Ｍ２Ｍ及びＩｏＴエンドユーザに対する市場化までの時間が、グローバルなネットワークコネクティビティを提供するために必要なベンダ関係を設定、サポート、配置、及び管理するための複雑な要件により遅れることである。必要なネットワークインフラストラクチャを構成する必要は、技術的にチャレンジングであると共に、多くの人により参入への高いコスト障壁と認識される可能性がある。さらに、Ｍ２Ｍ及びＩｏＴデバイスのライフサイクルは、管理するのが困難で、セクタに依存して大きく変わる可能性がある。さらに、トラブルシューティングに不可欠であり得るＭ２Ｍ及びＩｏＴデバイスのための接続及び加入者パフォーマンスに関する有意義な情報を見つけることは困難である。さらに、従来の管理ソリューションは、この課題を満たすようにスケーリングしない。
【００１７】
別の問題は、ｅＵＩＣＣ管理のＳＭ‐ＳＲ及びＳＭ‐ＤＰエレメントのためのベンダ相互運用性の欠如である。ＧＳＭＡ  ３ＧＰＰ標準は、異なるプロバイダのプロファイルが、指定された３ＧＰＰ定義インターフェースを介して通信するＳＭ‐ＤＰ及びＳＭ‐ＳＲを介して互いに相互運用可能であるべきと述べている。しかしながら、現在、これは当てはまらない。各ＳＭ‐ＳＲ及びＳＭ‐ＤＰプロバイダは、これらの指定されたインターフェースをサポートすることになる。しかしながら、ＳＭ‐ＳＲ及びＳＭ‐ＤＰプロバイダは、一般に、相互運用可能な方法で別のベンダソリューションで利用できないサイロ化されたソリューションのセットを作成する独自の機能をさらに含む。これは、ユーザに、異なるＭＮＯとそれらの製品及びサービス提示の間で選択を行うことを強制し、実際には継続的なベンダロックインにつながり、ｅＵＩＣＣ技術の採用の魅力を低減させる。
【００１８】
以下に記載する実施形態は、上述した既知のアプローチの欠点のいずれか又は全てを解決する実施形態に限定されない。
【発明の概要】
【００１９】
本概要は、以下で詳細な説明においてさらに記載される概念の選択を簡素化された形式で導入するために提供される。本概要は、請求される対象事項の重要な特徴又は必須の特徴を特定することを意図したものではなく、請求される対象事項の範囲を決定する際の助けとして使用することを意図したものでもない。
【００２０】
加入者インターフェースモジュール（subscriber  interface  module、ＳＩＭ）に、ＳＩＭ上の常にプロビジョニングされた国際移動体加入者識別番号（ＩＭＳＩ）を使用して組み込みユニバーサル集積回路カード（ｅＵＩＣＣ）プロファイルをプロビジョニングするために、システム及び方法が提供される。
【００２１】
第１の態様において、本開示は、組み込みユニバーサル集積回路カード（ｅＵＩＣＣ）プロファイルをｅＵＩＣＣ対応加入者インターフェースモジュール（ＳＩＭ）に対してプロビジョニングする方法を提供し、当該方法は、常にプロビジョニングされた国際移動体加入者識別番号（ＩＭＳＩ）をＳＩＭに提供するステップと、ＳＩＭ上のベースプロファイル集積回路カード識別子（ＩＣＣＩＤ）をアクティベートするステップと、ネットワークオペレータとの間で選択されたｅＵＩＣＣプロファイルをアクティベートするステップと、ネットワークオペレータによるＳＩＭへのｅＵＩＣＣプロファイルのダウンロードを指示するステップと、を含む。
【００２２】
第２の態様において、本開示は、コネクティビティ管理プラットフォーム（ＣＭＰ）システムを提供し、当該システムは、常にプロビジョニングされた国際移動体加入者識別番号（ＩＭＳＩ）を組み込みユニバーサル集積回路カード（ｅＵＩＣＣ）対応ＳＩＭに提供するように構成された手段と、ＳＩＭ上のベースプロファイル集積回路カード識別子（ＩＣＣＩＤ）をアクティベートするように構成された手段と、ネットワークオペレータとの間で選択されたｅＵＩＣＣプロファイルをアクティベートするように構成された手段と、ネットワークオペレータによるＳＩＭへのｅＵＩＣＣプロファイルのダウンロードを指示するように構成された手段と、を含む。
【００２３】
第３の態様において、本開示は、コンピュータプログラムを提供し、当該コンピュータプログラムは、コンピュータのプロセッサにより実行されたときにコンピュータに第１の態様の方法を実行させるコンピュータ読取可能命令を含む。
【００２４】
さらなる態様において、本開示は、組み込みユニバーサル集積回路カード（ｅＵＩＣＣ）プロファイルをＳＩＭカードに対してプロビジョニングする方法を提供し、当該方法は、常にプロビジョニングされた国際移動体加入者識別番号（ＩＭＳＩ）をＳＩＭカードに提供するステップと、ＳＩＭカード上のベースプロファイル集積回路カード識別子（ＩＣＣＩＤ）をアクティベートするステップと、ネットワークオペレータとの間で選択されたｅＵＩＣＣプロファイルをアクティベートするステップと、ネットワークオペレータによるＳＩＭカードへのｅＵＩＣＣプロファイルのダウンロードを指示するステップと、を含む。
【００２５】
なおさらなる態様において、本開示は、コネクティビティ管理プラットフォーム（ＣＭＰ）システムを提供し、当該システムは、常にプロビジョニングされた国際移動体加入者識別番号（ＩＭＳＩ）をＳＩＭカードに提供するように構成された手段と、ＳＩＭカード上のベースプロファイル集積回路カード識別子（ＩＣＣＩＤ）をアクティベートするように構成された手段と、ネットワークオペレータとの間で選択されたｅＵＩＣＣプロファイルをアクティベートするように構成された手段と、ネットワークオペレータによるＳＩＭカードへのｅＵＩＣＣプロファイルのダウンロードを指示するように構成された手段と、を含む。
【００２６】
なおさらなる態様において、本開示は、コンピュータプログラムを提供し、当該コンピュータプログラムは、コンピュータのプロセッサにより実行されたときにコンピュータに上記さらなる態様の方法を実行させるコンピュータ読取可能命令を含む。
【００２７】
本明細書に記載の方法は、ソフトウェアにより、有形の記憶媒体上のマシン読取可能な形式の、例えば、コンピュータプログラムの形式のソフトウェアにより実行されてもよく、該コンピュータプログラムは、プログラムがコンピュータ上で実行されたとき、コンピュータプログラムがコンピュータ読取可能媒体上に具現化され得る場合に、本明細書に記載の方法のいずれかの全てのステップを実行するように適合されたコンピュータプログラムコード手段を含む。有形（又は、非一時的）記憶媒体の例は、ディスク、サムドライブ、メモリカード等を含み、伝搬信号を含まない。ソフトウェアは、方法ステップが任意の適切な順序で、又は同時に実行され得るように、並列プロセッサ又は直列プロセッサ上での実行に適し得る。
【００２８】
本出願は、ファームウェア及びソフトウェアが、価値のある、別個に取引可能な商品であり得ることを認識している。所望の機能を実行するために、「ダム」又は標準のハードウェア上で実行又は制御するソフトウェアを包含することが意図される。さらに、所望の機能を実行するために、シリコンチップの設計又はユニバーサルプログラマブルチップの構成に使用されるようなＨＤＬ（ハードウェア記述言語）ソフトウェアなどのハードウェアの構成を「記述する」又は定義するソフトウェアを包含することが意図される。
【００２９】
好ましい特徴は、当業者に明らかなように、適切に組み合わせられてもよく、本発明の態様うち任意のものと組み合わせられてもよい。
【図面の簡単な説明】
【００３０】
本発明の実施形態は、例として、以下の図面を参照して説明される。
【図１】一実施形態によるコネクティビティ管理プラットフォームの説明図である。
【図２】図１のコネクティビティ管理プラットフォームのスーパーオペレータ機能の説明図である。
【図３】図１のコネクティビティ管理プラットフォームにより使用可能な単一プロファイルアクティベーションプロセスのフロー図である。
【図４】図１のコネクティビティ管理プラットフォームにより使用可能な複数プロファイルアクティベーションプロセスのフロー図である。
【図５】図１のコネクティビティ管理プラットフォームのゲートウェイ機能の説明図である。
【００３１】
共通の参照番号は、図全体を通して同様の特徴を示すために使用される。
【発明を実施するための形態】
【００３２】
本発明の実施形態は、以下で単に例として説明される。これらの例は、出願人に現在知られている発明を実施する最善の方法を表すが、これらは、本発明を達成することができる唯一の方法ではない。本明細書は、例の機能と、例を構築し動作させるステップのシーケンスを説明する。しかしながら、同じ又は同等の機能及びシーケンスが、異なる例により達成され得る。
【００３３】
図１は、本発明の一実施形態による、改善されたコネクティビティ管理プラットフォーム（ＣＭＰ）の図例を示す。
【００３４】
図１に示すように、複数の異なるモバイルネットワークオペレータ（ＭＮＯ）１ａ〜１ｃは各々、対応する無線モバイル通信ネットワーク２ａ〜２ｃを運用している。図１において、ネットワーク２ａ〜２ｃは、明確さのために離間して示されているが、異なるネットワーク２ａ〜２ｃの地理的範囲は、実際には、部分的又は完全に互いに重なり得ることが理解されるであろう。
【００３５】
本開示による改善されたコネクティビティ管理プラットフォーム（ＣＭＰ）３は、エンドユーザ加入者にマシンツーマシン（Ｍ２Ｍ）又はモノのインターネット（ＩｏＴ）の無線コネクティビティサービスを提供する。エンドユーザ加入者は各々、ｅＵＩＣＣ対応（eUICC  enabled）加入者識別モジュール（ＳＩＭ）５を各々が備えた複数のＭ２Ｍ又はＩｏＴデバイス４を有し、又は配置する（deploy）ことを望み、該デバイスは、異なるエンドユーザ加入者が望むＭ２Ｍ又はＩｏＴ機能を提供するために、無線ネットワーク２ａ〜２ｃのうち様々なものへの無線接続を必要とする。ｅＵＩＣＣ対応ＳＩＭは、ｅＵＩＣＣ、ｅＵＩＣＣカード、又はｅＳＩＭと呼ばれることもある。
【００３６】
図示の例において、ＳＩＭ５はＳＩＭカードである。しかしながら、これは必須ではない。他の例において、ＳＩＭ５は、例えば、デバイス４に組み込まれ又は取り付けられた集積回路又はチップでもよく、あるいはデバイス４の１つ以上のコンポーネントに統合されてもよい。
【００３７】
ＣＭＰ３は、ＣＭＰ３の顧客であるエンドユーザ加入者に対して、無線コネクティビティサービス選択肢の範囲を提示する。ＣＭＰ３により提示されるこれらの無線コネクティビティサービスは、Ｍ２Ｍ又はＩｏＴサービスのための適切なコネクティビティを提供し、一般に異なる料金（tariffs）において定義され、各料金は、製品、カバレッジ、及びレートの組み合わせであり、各料金は、ＭＮＯ１ａ〜１ｃのうち特定のものにより提供される。料金において、製品は、提供される無線コネクティビティサービスであり、カバレッジは、サービスが利用可能な地理的エリアであり、レートは、サービスのコストである。
【００３８】
ＣＭＰ３は、エンドユーザ加入者顧客がＣＭＰ３と対話し、ＣＭＰ３の機能にアクセスすることを可能にする顧客インターフェースを提供する。顧客は、ＣＭＰ３の顧客インターフェースを使用して、ＣＭＰ３により提示される利用可能なＩｏＴ料金をレビューし、顧客ＩｏＴデバイス４のＳＩＭカード５に対する所望の料金を選択し、アクティベートする（activate）ことができる。顧客インターフェースは、ＣＭＰ３へのリモートアクセスを顧客に提供し、顧客により、例えば、それぞれの顧客コンピューティングデバイス７上のブラウザを使用することによりリモートでアクセスできる複数のインタラクティブ画面を含むグラフィカルユーザインターフェース（ＧＵＩ）を含んでもよい。あるいは、顧客インターフェースは、顧客コンピュータがリモートでアクセス可能な複数のＡＰＩの形式をとってもよい。ＣＭＰ３は、インターネットなどの通信ネットワークを介して顧客インターフェースを顧客に利用可能にするサーバを含んでもよい。
【００３９】
異なる料金をエンドユーザ顧客に提示し、所望のＩｏＴ機能をＩｏＴデバイス４に提供することができるように、ＣＭＰ３は、複数の異なるモバイルネットワークオペレータ（ＭＮＯ）１ａ〜１ｃの各々と通信するように構成される。ＣＭＰ３は、異なるＭＮＯ１ａ〜１ｃのそれぞれのプロビジョニングインターフェース６ａ〜６ｃと通信して、ＣＭＰ３がＭＮＯ１のうち特定のものを要求し、ＩｏＴデバイス４のＳＩＭカード５のうち特定のものをプロビジョニングし（provision）、ＭＮＯ１から特定の無線コネクティビティサービスを受けることを可能にするように構成される。明確さのため、図１には３つの異なるＭＮＯ１ａ〜１ｃのみが示されているが、実際には、ＣＭＰ３は、任意の数のＭＮＯ１との通信に対して構成されてもよいことが理解されるであろう。実際には、異なる顧客により所望されるＩｏＴ機能を提供するために、ＣＭＰ３が多数のＭＮＯ１と通信することが必要な可能性がある。
【００４０】
ＣＭＰ３は、図２に示すように、異なるＭＮＯ１をリンクするスーパーオペレータ（super  operator）として機能するように構成される。図２は、図１の実施形態による、スーパーオペレータとして機能するＣＭＰ３の図例を示す。
【００４１】
図２に示すように、ＭＮＯ１ａ〜１ｃの各々は、ネットワークオペレータであり、ユーザに様々な料金を提供している。第１のＭＮＯ１ａは、４つの異なる料金Ａ１〜Ａ４を含む第１のオペレータ料金グループ１０ａを提示し、第２のＭＮＯ１ｂは、３つの異なる料金Ｂ１〜Ｂ３を含む第２のオペレータ料金グループ１０ｂを提示し、第３のＭＮＯ１ｃは、３つの異なる料金Ｃ１〜Ｃ３を含む第３のオペレータ料金グループ１０ｃを提示している。ＣＭＰ３は、異なるオペレータＭＮＯ１ａ〜１ｃの上にあり一緒にリンクするより上位のスーパーオペレータとして機能する。ＣＭＰ３スーパーオペレータは、その下のオペレータと親子関係を有する。言い換えれば、ＣＭＰ３スーパーオペレータは、複数のオペレータＭＮＯ１ａ〜１ｃと１：Ｎ関係を有する。ＣＭＰ３スーパーオペレータは、異なるオペレータ１ａ〜１ｃにより提示される料金の詳細を取得し、料金の各々を利用可能なｅＵＩＣＣプロファイルにリンクする。次いで、ＣＭＰ３スーパーオペレータは、異なるＭＮＯ１ａ〜１ｃにより提示される異なるオペレータ料金グループ１０ａ〜１０ｃ内の全ての料金を組み合わせで含み、料金Ａ１〜Ａ４、Ｂ１〜Ｂ３、及びＣ１〜Ｃ３を含む組み合わせられた料金グループ１を、顧客に提示する。各スーパーオペレータは、複数のオペレータと１：Ｎ関係を有するが、いくつかの例において、ＣＭＰ３は、複数の異なるスーパーオペレータを同時にサポートしてもよく、このような例では、いくつかのＭＮＯが複数のスーパーオペレータにリンク可能であり得る。
【００４２】
異なるオペレータＭＮＯにより提示される料金の数は、単なる説明例であることが理解されるであろう。実際には、ＭＮＯは任意の数の料金を提示することができる。
【００４３】
ＣＭＰ３の動作において、顧客は、ＣＭＰ３の顧客インターフェースを使用して、組み合わせられた料金グループ１１内の利用可能な料金をレビューし、顧客により制御されるＩｏＴデバイス４のＳＩＭカード５に所望のＩｏＴ機能を提供するために必要な１つ又は複数の料金を選択することができる。複数の料金が選択されるとき、これらは、オペレータＭＮＯ１ａ〜１ｃのうち異なるものにより提供される料金を含み得る。料金選択は、配置されようとしている新しいＳＩＭカード５に対して、これらのＳＩＭカード５に利用可能な新しい料金を選択するために実行されてもよく、あるいは、既に動作中のＳＩＭカード５に対して、新しい料金を追加及び／又は既存の料金を除去することによりＳＩＭカード５に利用可能な料金の一部又は全部を変更するために実行されてもよい。
【００４４】
顧客が、組み合わせられた料金グループ１１からＳＩＭカード５に対する１つ又は複数の料金を選択したとき、ＣＭＰ３は、それらのオペレータ料金グループ１０ａ〜１０ｃ内の選択された料金を提示するオペレータＭＮＯ１ａ〜１ｃとインターフェースして、ＳＩＭカード５のために選択された料金をプロビジョニングする要求を、そのＭＮＯ１ａ〜１ｃのプロビジョニングインターフェース６ａ〜６ｃに対して行うことができる。これを可能にするために、ＣＭＰ３は、複数のプロビジョニングアダプタ１２ａ〜１２ｃを備える。アダプタ１２ａ〜１２ｃの各々は、ＭＮＯ１ａ〜１ｃのプロビジョニングインターフェース６ａ〜６ｃのうち特定のものと通信し、対応するプロビジョニングインターフェース６ａ〜６ｃの要件に正しくマッチする料金要求を作成するように構成される。アダプタ１２は、例えば、ソフトウェアモジュールでもよい。
【００４５】
ＩｏＴデバイス４及びそれらの関連づけられたＳＩＭカード５が、使用されるネットワーク技術、デバイスタイプ、又はＭＮＯアイデンティティに関係なく、異なるＭＮＯからの異なる選択された料金に正しく関連づけられることを可能にするために、ＣＭＰ３は、ＳＩＭカード５の各々、したがって関連づけられたＩｏＴデバイス４を、グローバルにユニークなオブジェクトとして見る。
【００４６】
ＣＭＰ３スーパーオペレータは、組み込みユニバーサル集積回路カード（ｅＵＩＣＣ）プロバイダであり、サブスクリプションマネージャセキュアルーティング（ＳＭ‐ＳＲ）を提供することができ、ｅＵＩＣＣへのプロファイルのダウンロードを可能にする。ＣＭＰ３は、グローバルシステムモバイルアソシエーション（Global  System  Mobile  Association、ＧＳＭＡ）ｅＵＩＣＣ準拠であり、ＣＭＰ３がオーバージエア（ＯＴＡ）プロファイル管理プラットフォームを有する意思決定レイヤとして機能して、物理的ＳＩＭカード５へのｅＵＩＣＣプロファイルの配置を調整し、可能にすることができる。顧客が、ＣＭＰ３の顧客インターフェースを使用してＳＩＭカード５を要求すると、ＣＭＰ３は、ユニークな集積回路カード識別子（ＩＣＣＩＤ）を有するＳＩＭカード５をユーザに割り当てる。ユニークＩＣＣＩＤは、ＳＩＭカード５の製造の時点で割り当てられ、ＣＭＰ３に、又はＣＭＰ３を運用する組織に割り当てられたＩＣＣＩＤのグローバルプールから提供されてもよい。ＳＩＭカード５は前もってユニークＩＣＣＩＤを製造及び割り当てられ、ＳＩＭカード５はユーザ要求に応答してユーザに割り当てられてもよく、あるいは、ＳＩＭカード５はユーザ要求に応答してユニークＩＣＣＩＤを製造及び割り当てられてもよいことが理解されるであろう。このユニークＩＣＣＩＤは、ＣＭＰ３との全てのその後の対話においてＳＩＭカード５をユニークに（uniquely）識別するために、ＣＭＰ３によりマスタレコードとして使用される。
【００４７】
したがって、顧客が、顧客ＩｏＴデバイス４への組み入れのためにＳＩＭカード５が提供されることを要する場合、顧客は、ＳＩＭカード５の発行を要求することができ、ＣＭＰ３は、ＣＭＰ３により制御される適切なＳＩＭカード５を顧客に自動的に割り当て、対応する割り当てられたＩＣＣＩＤ自体を提供する。あるいは、顧客がＳＩＭカード５の制御を既に有する場合、例えば、ＳＩＭカード５が顧客ＩｏＴデバイス４に既に組み入れられている場合、顧客は、ＣＭＰ３の顧客インターフェースを使用してＳＩＭカード５の識別詳細を入力することができる。例えば、ＳＩＭカード５が、ＣＭＰ３により、又は別のサプライヤにより顧客に前に割り当てられたＳＩＭカードである場合、顧客は、ＣＭＰ３又はカードサプライヤによりＳＩＭカード５に割り当てられたＩＣＣＩＤを入力することができる。
【００４８】
ＣＭＰ３は、選択されたＳＩＭカード５に対するブートストラップコネクティビティを、常にプロビジョニングされた国際移動体加入者識別番号（ＩＭＳＩ）として提供し、これは、移動体加入者統合サービスデジタルネットワーク番号（ＭＳＩＳＤＮ）に、及びそのＳＩＭカード５に対するＩＣＣＩＤに関連づけられ又は結び付けられたＣＭＰ３のレコードに記憶され、このＩＣＣＩＤは、ＣＭＰ３によりマスタレコードとして使用される。
【００４９】
顧客が、ＣＭＰ３の顧客インターフェースを使用してＳＩＭカード５に対する１つ又は複数の料金を選択したとき、ＣＭＰ３は、ブートストラップＳＩＭのＩＣＣＩＤであるＳＩＭカード５の提供されたＩＣＣＩＤをチェックし、組み合わせられた料金グループ１１内のリンクされたオペレータＭＮＯ３ａ〜３ｃからスーパーオペレータとしてＣＭＰ３に利用可能な料金の全てを取得し、これらの可能な料金を利用可能なｅＵＩＣＣプロファイルにリンクする。
【００５０】
いくつかの例において、スーパーオペレータとして機能するＣＭＰ３は、ＭＮＯ３ａ〜３ｃにより提供されるものに追加で、それ自体がさらなる料金を提示してもよい。換言すれば、いくつかの例において、ＣＭＰ３は、リンクされたオペレータＭＮＯ３ａ〜３ｃのスーパーオペレータとして機能することに追加で、事実上オペレータとして機能してもよい。このような例において、ＣＭＰ３は、これらのさらなる料金を、組み合わせられた料金グループ１１の一部として提示することができる。
【００５１】
顧客が、ＣＭＰ３の顧客インターフェースを使用してＳＩＭカード５に対する料金を選択したとき、その料金をサポートするために必要とされる必要なプロファイルが、ＳＩＭカード５のＩＣＣＩＤにマッピングされ、そのＳＩＭカード５に関連づけられたプロファイルのセットの一部として識別される。複数の料金が顧客により選択された場合、このプロセスは選択された料金の各々について繰り返される。したがって、複数の料金が顧客により選択されたとき、ＳＩＭカード５に関連づけられたプロファイルのセット内に複数のプロファイルが存在し得る。
【００５２】
ＳＩＭ５に対する所望の料金の全てが選択されたとき、ＳＩＭ５がアクティベートされ得る。いくつかの例において、このアクティベーションは即時で、例えば、選択プロセスが完了したことを顧客が示したときに自動的に、又は顧客がＣＭＰ３の顧客インターフェースを使用して「アクティベート」選択肢を選択したことに応答してでもよい。他の例において、アクティベーションは、料金選択が完了してからいくらかの時間の後に、可能性として長時間の後に行われてもよい。例えば、アクティベーションは、選択された将来の時間に行われるように設定されてもよく、あるいは選択してからいくらかの時間の後に顧客アクティベーション指示に応答して行われてもよい。
【００５３】
ＳＩＭカード５が顧客アクティベーション指示に応答してアクティベートされるとき、ＣＭＰ３はアクティベーションプロセスに従う。この顧客アクティベーション指示は、ＣＭＰ３の顧客インターフェース上の「アクティベート」選択肢への顧客によるシングルクリックでもよい。
【００５４】
ＳＩＭカード５がアクティベートされると、一般に、選択された１つ又は複数の料金をサポートするために必要とされるＳＩＭカード５上の１つ以上のプロファイルをアクティベートすることが必要である。
【００５５】
図３は、単一の必要なプロファイルに対してＣＭＰ３が従うアクティベーションプロセスを示す。アクティベーションプロセス２０は、指示受信ステップ２１において、割り当てられたユニークＩＣＣＩＤを有するＳＩＭカード５に対するアクティベート指示がＣＭＰ３により受信されたとき開始する。
【００５６】
次に、ＣＭＰ３は、ベースＩＣＣＩＤアクティベートステップ２２において、ＩＣＣＩＤに関連づけられたベースプロファイルをアクティベートする。次いで、ＣＭＰ３は、チェックステップ２３において、ベースプロファイルがアクティベートされたことをチェックする。このベースプロファイルは、ブートストラップコネクティビティを提供する常にプロビジョニングされたＩＭＳＩに関連づけられる。
【００５７】
チェックステップ２３が、ベースプロファイルがアクティベートされたことを確認した場合、ＣＭＰ３は、次いで、プロファイルアクティベートステップ２４において、オペレータＭＮＯ１ａ〜１ｃのうち適切なもののプロビジョニングインターフェース６ａ〜６ｃにコンタクトし、ＣＭＰ３の対応するプロビジョニングアダプタ１２ａ〜１２ｃを使用して必要なプロファイルをアクティベートする。次いで、ＣＭＰ３は、チェックステップ２５において、必要なプロファイルがアクティベートされたことをチェックする。
【００５８】
チェックステップ２５が、必要なプロファイルがアクティベートされたことを確認した場合、ＣＭＰ３は、次いで、ダウンロードステップ２６において、オペレータＭＮＯ１ａ〜１ｃのうち適切なもののプロビジョニングインターフェース６ａ〜６ｃにコンタクトし、ＣＭＰ３の対応するプロビジョニングアダプタ１２ａ〜１２ｃを使用してＭＮＯ１ａ〜１ｃからのリモートシステムプロビジョニング（Remote  System  Provisioning、ＲＳＰ）ｅＵＩＣＣのダウンロードをトリガ又は指示する。これは、ｅＵＩＣＣ  ＯＴＡプロビジョニングプロセスを使用して必要なプロファイルをＳＩＭカード５にダウンロードする。ＭＮＯは、ＭＮＯのサブスクリプションマネージャセキュアルーティング（ＳＭ‐ＳＲ）を介して、ＳＭ‐ＳＲ／サブスクリプションマネージャデータプレパレーション（Subscription  Manager  Data  Preparation、ＳＭ‐ＤＰ）プロバイダのアダプタを使用して、ｅＵＩＣＣ  ＯＴＡプロビジョニングプロセスを実行することができる。ＳＭ‐ＳＲ／ＳＭ‐ＤＰプロバイダは、例えば、ＳＩＭ製造業者でもよい。次いで、ＣＭＰ３は、チェックステップ２７において、ダウンロードが成功したことをチェックする。
【００５９】
チェックステップ２７が、ダウンロードが成功したことを確認した場合、プロセスは、終了ステップ２９で停止する。
【００６０】
次いで、ＳＩＭカード５は、選択された料金に従って無線コネクティビティを提供するようにアクティベートされ、関連づけられたデバイス４に所望の無線通信機能を提供する。デバイス４がＭ２Ｍ又はＩｏＴデバイスである場合、ＳＩＭカード５は、所望のＭ２Ｍ又はＩｏＴ無線通信機能を提供する。
【００６１】
いくつかの例において、ＳＩＭカード５は、複数の料金にアクセスするようにアクティベートされてもよく、そのため、複数のプロファイルをＳＩＭカード５にアップロードすることが必要である。これが必要とされるとき、順番にアクティベートされる各プロファイルについて、図３のアクティベーションプロセスに従ってもよい。あるいは、複数プロファイルアクティベーションプロセスに従ってもよい。
【００６２】
図４は、複数の必要なプロファイルに対してＣＭＰ３が従うアクティベーションプロセスを示す。アクティベーションプロセス３０は、指示受信ステップ３１において、割り当てられたユニークＩＣＣＩＤを有するＳＩＭカード５に対するアクティベート指示がＣＭＰ３により受信されたとき開始する。
【００６３】
次に、ＣＭＰ３は、ベースＩＣＣＩＤアクティベートステップ２２において、ＩＣＣＩＤに関連づけられたベースプロファイルをアクティベートし、次いで、チェックステップ２３において、ベースプロファイルがアクティベートされたことをチェックする。
【００６４】
チェックステップ２３が、ベースプロファイルがアクティベートされたことを確認した場合、ＣＭＰ３は、次いで、方法２０と同様の方法で、ステップ２４〜２７において必要なプロファイルをアクティベート及びダウンロードする。
【００６５】
次いで、ＣＭＰ３は、さらなるプロファイルステップ３２において、任意のさらなる必要なプロファイルがダウンロードされる必要があるかどうかをチェックする。ダウンロードすべきさらなるプロファイルがある場合、ＣＭＰ３は、プロファイルアクティベーションステップ２４に戻り、次の必要なプロファイルをアクティベートする。あるいは、ダウンロードすべきさらなるプロファイルがない場合、プロセスは、終了ステップ３３で停止する。
【００６６】
新しいプロファイルは、ＳＩＭカード５が使用のために最初にアクティベートされるときにＳＩＭカード５上でアクティベートされてもよく、さらに、ＳＩＭカード５により使用される１つ又は複数の料金が変更されるときにアクティベートされてもよく、ＳＩＭカード５により提供される無線通信機能を変更する。
【００６７】
新しいプロファイルのダウンロード及びアクティベートに追加で、ＣＭＰ３は、ＳＩＭカード５からもはや使用されないプロファイルを削除することもできる。
【００６８】
したがって、ＣＭＰ３は、顧客ＳＩＭカード５及びそれらの関連づけられたＩｏＴデバイスの加入者ライフサイクルをフルに制御することができる。
【００６９】
したがって、このプロセスの概要は、ＣＭＰ３により提供されるか又は顧客により既に保持されている可能性がある、割り当てられたＩＣＣＩＤ及びＩＭＳＩを各々が有する１つ以上のブートストラップＳＩＭカード５を顧客が注文することで開始するものとして要約することができる。ＩＣＣＩＤとＩＭＳＩは、ＣＭＰ３によりグローバルインベントリに記憶され、ＣＭＰ３は、ＩＣＣＩＤを顧客アカウントに割り当てる。次いで、顧客がＳＩＭのアクティベーションを要求したとき、ＣＭＰ３は、ＩＣＣＩＤに基づいて任意の必要なｅＵＩＣＣプロファイルをロードすることができる。
【００７０】
上記で説明したように、ＣＭＰ３は、複数のＭＮＯにおけるＳＩＭカードを様々なＭＮＯプロビジョニングインターフェースを介してプロビジョニングすることができ、ＳＩＭのプロビジョニングの選択をエンドユーザにとって簡単かつ容易にするように料金選択サービスを提供する。ＣＭＰ３は、ＳＩＭに提供されるネットワークコネクティビティに関して非依存（agnostic）である。
【００７１】
上記で説明したように、本開示によるＣＭＰはｅＵＩＣＣ機能を有し、ネットワークオペレータＭＮＯのサブスクリプションマネージャセキュアルーティング（ＳＭ‐ＳＲ）及びサブスクリプションマネージャデータプレパレーション（ＳＭ‐ＤＰ）に対する標準準拠の統合を提供し、ＣＭＰがｅＵＩＣＣプロファイル管理の意思決定レイヤとなることを可能にし、ＳＩＭへのｅＵＩＣＣプロファイルのプロビジョニングを制御する。
【００７２】
複数のＭＮＯにわたる料金へのアクセスを提供する能力は、エンドユーザ加入者顧客が単一のＣＭＰユーザインターフェースを介して、異なるパートナーからの電子プロファイルと共に、複数のネットワークにより発行されたＳＩＭカードを利用することを可能にする。この能力は、エンドユーザがＧＵＩ又はＡＰＩのスイートなどのＣＭＰユーザインターフェースを介して、物理的なｅＳＩＭＳ自体に利用可能又は適用されるプロファイルを管理することを可能にする。
【００７３】
ソリューション全体は、ＣＭＰが簡素な方法で物理ＳＩＭカード上のｅＵＩＣＣプロファイルの調整及び有効化のための意思決定レイヤとして機能することを可能にする。次いで、ＭＮＯは、各エンドユーザアカウントに対して商業的又はカバレッジの理由で新しいプロファイルを追加及び除去することができ、ゆえに、エンドユーザはいずれ、それらの配置されたデバイスにこれらを適用することができる。
【００７４】
ＳＭ‐ＤＰ及びＳＭ‐ＳＲへの統合は、ＥＳ２及びＥＳ４  ＡＰＩインターフェースを使用してこれらの管理能力を達成する。しかしながら、ｅＵＩＣＣプロファイルとして提示される全てのネットワークは、プロビジョニングアダプタを介してＭＮＯのＯＳＳ／ＢＳＳシステムに、並びに、認証、認可、及びアカウンティング（Authentication,  authorization  and  accounting、ＡＡＡ）サービスとしてＲａｄｉｕｓを、ネットワークパケットゲートウェイ及びＨＬＲ／ＨＳＳ上に構成されたプライベートアクセスポイント名（ＡＰＮ）の一部としてルーティング可能なＩＰコネクティビティを使用して、ＡＰＮゲートウェイとネットワークパケットゲートウェイシステムとの間のフルのＡＰＮ統合に統合されることに留意されたい。
【００７５】
したがって、ＣＭＰは、エンドユーザ加入者に、無線コネクティビティタイプに関係なく、彼らが単一のＣＭＰインターフェースから全地球にわたり全ての無線接続ＩｏＴデバイスを配置及び管理することができるという利点を提供する。さらに、デバイス及びＳＩＭＳは、単一のｅＵＩＣＣ駆動コネクティビティソリューションを使用して配置することができ、異なる地理的地域の異なるネットワークオペレータと協働する必要を排除する。ＣＭＰは、デバイス及びＳＩＭの配置、統合、及び継続的管理の自動化を可能にし、コストの有意な低減を可能にし、市場化までの時間を低減する。
【００７６】
上述のＳＩＭカード及びＩｏＴデバイスの配置に追加で、ＣＭＰ３は、エンドユーザ顧客にＩｏＴデバイスのためのよりセキュアなコネクティビティを提供するために、コアインフラストラクチャサービスを提示してもよい。
【００７７】
図５は、本発明の一実施形態による改善されたコネクティビティ管理プラットフォーム（ＣＭＰ）の図例を示す。
【００７８】
図５に示すように、ＣＭＰ３のエンドユーザ加入者は、ＳＩＭカード５を備えた複数のＩｏＴデバイス４を有する。これらのＩｏＴデバイス４及びＳＩＭカード５は、各々が対応するモバイルネットワークオペレータ（ＭＮＯ）１ａ〜１ｃにより運用される複数の異なる無線モバイル通信ネットワーク２ａ〜２ｃのうち異なるものと通信する。図５において、ネットワーク２ａ〜２ｃは、明確さのために離間して示されているが、異なるネットワーク２ａ〜２ｃの地理的範囲は、実際には、部分的又は完全に互いに重なり得ることが理解されるであろう。
【００７９】
セキュリティ問題は、任意の無線通信システム又は通信ネットワークにおいて生じることがよく知られている。しかしながら、これらのセキュリティ問題は、ＩｏＴデバイスとエンドユーザ加入者との間の通信が特に複雑で変更をされやすい場合があるため、ＩｏＴアプリケーションにおいて特に深刻であり得る。例えば、ＩｏＴデバイスに関連づけられたｅＳＩＭ  ＳＩＭカードは、欧州の特定のＭＮＯ  ｅＵＩＣＣプロファイルを介してコネクティビティを提供し、ＭＮＯが割り当てたＩＰアドレスを使用してＥＵピアリングポイントからデータをルーティングする場合あり、次いで、ＩｏＴデバイスは移動される場合があり、そのため、ｅＳＩＭがＥＵから米国に移行し、ＵＳ  ＭＮＯ  ｅＵＩＣＣプロファイルを適用され、ＵＳピアリングポイントからデータをルーティングし、ＵＳ  ＭＮＯにより割り当てられた異なるＩＰアドレスを有する。
【００８０】
ＣＭＰ３は、ＭＮＯネットワーク２ａ〜２ｃとエンドユーザ加入者デバイス４１との間のゲートウェイ４０を含む。エンドユーザ加入者デバイスは、ＩｏＴデバイス４からのデータを記憶及び分析するエンドユーザコンピュータ又はコンピュータネットワークでもよい。
【００８１】
ＣＭＰ３ゲートウェイ４０は、アクセスポイント名（ＡＰＮ）メソッドを使用して、ＩｏＴデバイス４のＳＩＭカード５とエンドユーザ加入者デバイス４１との間のデータ及び他の通信をルーティングする。ＣＭＰ３のＡＰＮゲートウェイ４０は、それぞれのエンドユーザ加入者のデータのアクセス及びルーティングを制御し、エンドユーザ加入者がＩｏＴデバイス４からのデータにアクセスするための単一のアクセスポイントを提供する。
【００８２】
ＡＰＮゲートウェイ４０の通信インフラストラクチャは、ＣＭＰ３により提示される全てのｅＵＩＣＣ対応ネットワークに統合される。したがって、ＩｏＴデバイス４のＳＩＭカード５からのデータはＡＰＮゲートウェイ４０に戻され、適用されるｅＵＩＣＣプロファイルに関係なく、単一ポイントピアリング又はデバイス当たり単一ＩＰの通信を可能にする。
【００８３】
ＣＭＰ３、特にＡＰＮゲートウェイ４０は、Ｍ２Ｍ及びＩｏＴアプリケーションのための高可用性フォールトトレラントデータネットワークを提供するように設計される。これを可能にするために、ＡＰＮゲートウェイ４０は、好ましくは、Ｎ＋１冗長スキームなどのコンポーネント冗長性と、重要なコンポーネントを独立してスケーリングすることを可能にするためのタスクの分離を用いて設計される。これは、改善された性能、セキュリティ、及び回復力を提供し、高度な故障耐性、性能、及びスケーラビリティを提供することができる。
【００８４】
ＣＭＰ３は、ＩｏＴデバイス４のＳＩＭカード５とエンドユーザ加入者デバイス４１との間の通信のための様々な暗号化標準をサポートすることができ、エンドユーザ加入者に仮想プライベートネットワーク（Virtual  Private  Network、ＶＰＮ）を提供することができる。
【００８５】
セキュリティ上の理由で、ＣＭＰ３  ＡＰＮゲートウェイ４０は、デフォルトでエンドユーザ加入者デバイス４１への直接インバウンドコネクティビティを許容しない。しかしながら、エンドユーザ加入者は、必要に応じて、ＩｏＴデバイスに直接アクセスするための適切なアクセス技術を提供されてもよい。ここで、ＣＭＰ３は、インターネットプロトコルセキュリティ（Internet  Protocol  Security、ＩＰｓｅｃ）介した専用のインターネットプロトコル（Internet  Protocol、ＩＰ）リンク、又はマルチプロトコルラベルスイッチング（Multiprotocol  Label  Switching、ＭＰＬＳ）プロトコルなどの、使用の容易さのために設計された複数の異なる通信選択肢をサポートしてもよい。
【００８６】
ＣＭＰ３は、インフラストラクチャアズアサービス（Infrastructure  as  a  Service、ＩａａＳ）を提供してもよい。これは、顧客のＡＰＮがホスト及びルーティングされ、ＣＭＰ３及びデータネットワークの能力を利用することを可能にする。プライベートＡＰＮサービスをエンドユーザ加入者に提供することは、複数の利点を提供し得る。セキュリティは、プライベートＡＰＮに対する中心的な利点の１つである。特に、プライベートＡＰＮは、所望に応じてパブリックインターネットから隔離されてもよい。このような分離は、プライベートＡＰＮを使用しているデバイスが外部パーティからの攻撃からさらに安全にされるように選択されてもよい。パブリックインターネットから分離されたこのようなプライベートＡＰＮは、プライベートネットワークがパブリックインターネットから完全に隔離されているため、それがプライベートなままであることを保証するのに役立つ可能性がある。これは、データが外部パーティによりアクセスできないことを保証する。パブリックインターネットから分離されたこのようなプライベートＡＰＮは、外部パーティがプライベート企業ネットワークにリモートで接続することを可能にし、そのデータ完全性は、リモートデバイスと企業ネットワークとの間のトラフィックがパブリックインターネットを横断しないため、確保される。
【００８７】
図示の例では、３つの異なる無線ネットワークのうちそれぞれ１つを各々が運用する３つの異なるＭＮＯが示されている。他の例において、異なる数のＭＮＯ及び／又は無線ネットワークが存在してもよい。いくつかの例において、ＭＮＯのうち１つ、いくつか、又は全てが複数の無線ネットワークを運用してもよい。
【００８８】
説明した実施形態において、ＣＭＰは、スーパーオペレータとして機能する。他の例において、ＣＭＰは、複数のスーパーオペレータエンティティをサポートしてもよい。
【００８９】
上記の説明は、明確さのため、単一の顧客を参照して本発明の実施形態を論じている。実際には、システムは複数の顧客により、可能性としてかなり多数のリモートの顧客により同時に共有されてもよいことが理解されるであろう。
【００９０】
上記の説明は、明確さのため、顧客デバイスへのＩｏＴ及び／又はＭ２Ｍコネクティビティの提供を参照して本発明の実施形態を論じている。他の例において、本発明は、他の用途のための無線通信コネクティビティを有するＳＩＭカード及びデバイスを提供するために使用されてもよい。
【００９１】
上述の実施形態は、十分に自動的である。いくつかの代替例において、システムのユーザ又はオペレータが、実行されるべき方法のいくつかのステップを指示してもよい。
【００９２】
例示の実施形態において、システムのモジュールはソフトウェアで定義されている。他の例において、モジュールは、全体的又は部分的にハードウェアで、例えば専用の電子回路により定義されてもよい。
【００９３】
本発明の説明した実施形態において、システムは、コンピューティング及び／又は電子デバイスの任意の形態として実現されてもよい。
【００９４】
そのようなデバイスは、ルーティング情報を収集及び記録するためにデバイスの動作を制御するためのコンピュータ実行可能命令を処理するマイクロプロセッサ、コントローラ、又は任意の他の適切なタイプのプロセッサであり得る１つ以上のプロセッサを含み得る。いくつかの例において、例えば、システムオンチップアーキテクチャが使用される場合、プロセッサは、（ソフトウェア又はファームウェアではなく）ハードウェアで方法の一部を実現する１つ以上の固定機能ブロック（アクセラレータとも呼ばれる）を含んでもよい。オペレーティングシステム又は任意の他の適切なプラットフォームソフトウェアを含むプラットフォームソフトウェアは、アプリケーションソフトウェアがデバイス上で実行されることを可能にするように、コンピューティングベースのデバイスに提供されてもよい。
【００９５】
コンピュータ実行可能命令は、コンピューティングベースのデバイスによりアクセス可能な任意のコンピュータ読取可能媒体を使用して提供されてもよい。コンピュータ読取可能媒体は、例えば、メモリ及び通信媒体などのコンピュータ記憶媒体を含んでもよい。メモリなどのコンピュータ記憶媒体は、コンピュータ読取可能命令、データ構造、プログラムモジュール、又は他のデータなどの情報の記憶のための任意の方法又は技術で実現された揮発性及び不揮発性の、取外し可能及び取外し不能な媒体を含む。コンピュータ記憶媒体は、これらに限られないが、ＲＡＭ、ＲＯＭ、ＥＰＲＯＭ、ＥＥＰＲＯＭ、フラッシュメモリ若しくは他のメモリ技術、ＣＤ‐ＲＯＭ、デジタル多用途ディスク（ＤＶＤ）若しくは他の光記憶装置、磁気カセット、磁気テープ、磁気ディスク記憶装置若しくは他の磁気記憶デバイス、又はコンピューティングデバイスによるアクセスのための情報を記憶するために使用できる任意の他の非送信媒体を含む。対照的に、通信媒体は、コンピュータ読取可能命令、データ構造、プログラムモジュール、又は他のデータを、搬送波などの変調されたデータ信号、又は他の伝送メカニズムにおいて具現化し得る。本明細書で定義するように、コンピュータ記憶媒体は通信媒体を含まない。
【００９６】
システムは単一のデバイスとして示されているが、このシステムは分散され、又はリモートに位置し、ネットワーク又は他の通信リンクを介して（例えば、通信インターフェースを使用して）アクセスされてもよいことが理解されるであろう。
【００９７】
用語「コンピュータ」は、本明細書において、それが命令を実行することができるような処理能力を有する任意のデバイスを指すために使用される。当業者は、このような処理能力は多くの異なるデバイスに組み込まれ、したがって、用語「コンピュータ」はＰＣ、サーバ、携帯電話、パーソナルデジタルアシスタント、及び多くの他のデバイスを含むことを理解するであろう。
【００９８】
当業者は、プログラム命令を記憶するために利用される記憶デバイスがネットワークにわたり分散可能であることを理解するであろう。例えば、リモートコンピュータが、ソフトウェアとして記述されたプロセスの例を記憶してもよい。ローカル又は端末コンピュータが、リモートコンピュータにアクセスし、ソフトウェアの一部又は全部をダウンロードしてプログラムを実行してもよい。あるいは、ローカルコンピュータは、必要に応じてソフトウェアの一部をダウンロードし、いくつかのソフトウェア命令をローカル端末で、いくつかをリモートコンピュータ（又は、コンピュータネットワーク）で実行してもよい。当業者は、当業者に知られた従来技術を利用することにより、ソフトウェア命令の全部又は一部がＤＳＰ、プログラマブル論理アレイなどの専用回路により実行され得ることも理解するであろう。
【００９９】
上述の利益及び利点は１つの実施形態に関連する場合があり、あるいはいくつかの実施形態に関連する場合があることが理解されるであろう。実施形態は、述べられた問題のいずれか若しくは全てを解決するもの、又は述べられた利益及び利点のいずれか若しくは全てを有するものに限定されるわけではない。
【０１００】
「一（an）」項目への参照は、それらの項目の１つ以上を指す。用語「含む（comprising）」は、本明細書において、特定された方法ステップ又は要素を含むことを意味するために使用されるが、そのようなステップ又は要素は排他的リストを含まず、方法又はデバイスはさらなるステップ又は要素を含んでもよい。
【０１０１】
本明細書に記載された方法のステップの順序は例示的であり、ステップは任意の適切な順序で、又は適切な場合には同時に実行されてもよい。さらに、ステップは追加又は置換されてもよく、あるいは個々のステップは、本明細書に記載される対象事項の範囲から逸脱することなく方法のいずれかから削除されてもよい。上記の例のいずれかの態様が、求められる効果を損なうことなくさらなる例を形成するために、記載された他の例のいずれかの態様と組み合わせられてもよい。
【０１０２】
好適な実施形態の上記の説明は単なる例として与えられており、当業者により様々な修正がなされ得ることが理解されるであろう。様々な実施形態がある程度の特定性をもって、又は１つ以上の個々の実施形態を参照して上記で説明されたが、当業者は、本発明の主旨又は範囲から逸脱することなく開示された実施形態に多数の修正を行い得る。
【図１】
2021515507.tif 000003
【図２】
2021515507.tif 000004
【図３】
2021515507.tif 000005
【図４】
2021515507.tif 000006
【図５】
2021515507.tif 000007
【国際調査報告】
2021515507.tif 000008
2021515507.tif 000009
2021515507.tif 000010